(57)【要約】【課題】  従来のコモンレールは、レール本体の周壁の内径および外径が同一の場合でも、レール本体の周壁の形状の標準化が困難となり、製造コストが上昇するという課題があった。【解決手段】  コモンレール１は、複数の配管ジョイント１１を、レール本体２の周壁３に対して別体部品、特に内外連通孔３１の奥側にオリフィス孔３２および面取り部３４を含んで構成される別体部品とすることにより、レール本体２の形状を簡略化することができる。  これによって、レール本体２の周壁３の内径および外径が同一の場合には、角度および配管ピッチが異なる場合でも、レール本体２の周壁３の形状の標準化が容易になり、コモンレール１の製造コストを削減することができる。【選択図】  図１
2014109245.tif 000002
【特許請求の範囲】
【請求項１】
内燃機関の各気筒に供給する燃料供給装置に使用されるコモンレール（１）において、  軸線方向に延伸された燃料孔（１０）、
この燃料孔（１０）の周囲を取り囲むように設けられた筒状の周壁（３）、
およびこの周壁（３）を前記内燃機関の支持部（７）に締結固定するための取付ボス（６）
を有する筒状のレール本体（２）と、
前記燃料孔（１０）の軸線方向に対して垂直な径方向に延伸されて、前記燃料孔（１０）と外部とを連通する内外連通孔（３１）
を有する複数の配管ジョイント（１１〜１５）と
を備え、
前記レール本体（２）は、前記周壁（３）の外周面と前記周壁（３）の内周面とを連通するように設けられた複数の雌螺子孔（１６）を有し、
前記複数の配管ジョイント（１１〜１５）は、前記レール本体（２）と別体部品であって、前記複数の雌螺子孔（１６）に螺子締結される本体接続部（５１）をそれぞれ有し、  前記複数の配管ジョイント（１１〜１５）の各内外連通孔（３１）は、前記内外連通孔（３１）と前記燃料孔（１０）とが交差する孔交差部（３３）に、前記燃料孔（１０）へ向けて孔径が徐々に増加する面取り部（３４）を有していることを特徴とするコモンレール。
【請求項２】
請求項１に記載のコモンレール（１）において、
前記複数の配管ジョイント（１１〜１５）の各内外連通孔（３１）は、前記燃料孔（１０）の近傍に、前記内外連通孔（３１）の孔径を絞るオリフィス孔（３２）を有し、
前記面取り部（３４）は、前記オリフィス孔（３２）と前記燃料孔（１０）とが交差する孔交差部（３３）に設けられていることを特徴とするコモンレール。
【請求項３】
請求項１または請求項２に記載のコモンレール（１）において、
前記複数の配管ジョイント（１１〜１５）は、その軸線方向に対して垂直な径方向に延伸されて、前記周壁（３）の外周面に対向する環状のシート部（５６）をそれぞれ有していることを特徴とするコモンレール。
【請求項４】
請求項３に記載のコモンレール（１）において、
前記周壁（３）は、前記複数の配管ジョイント（１１〜１５）の各シート部（５６）が液密的に密着する複数のシール部（４４）を有していることを特徴とするコモンレール。
【請求項５】
請求項４に記載のコモンレール（１）において、
前記複数の雌螺子孔（１６）は、前記周壁（３）の軸線方向に所定の軸方向間隔を隔てて配置されて、前記複数のシール部（４４）の中心において開口していることを特徴とするコモンレール。
【請求項６】
請求項１ないし請求項５のうちのいずれか１つに記載のコモンレール（１）において、  前記レール本体（２）は、鍛造加工により一体形成される鍛造品（Ａ）であって、前記鍛造品（Ａ）に所定の切削加工を施した非調質材よりなることを特徴とするコモンレール。
【請求項７】
請求項１ないし請求項６のうちのいずれか１つに記載のコモンレール（１）において、  前記配管ジョイント（１１〜１５）は、引き抜き加工または押し出し加工により一体形成される成形品（Ｂ）であることを特徴とするコモンレール。
【請求項８】
請求項７に記載のコモンレール（１）において、
前記配管ジョイント（１１〜１５）は、前記成形品（Ｂ）に所定の切削加工を施した後に調質熱処理を施した調質材よりなることを特徴とするコモンレール。
【発明の詳細な説明】
【技術分野】
【０００１】
本発明は、内燃機関の各気筒に高圧燃料を供給する燃料供給装置に使用されるコモンレールに関するものである。
【背景技術】
【０００２】
［従来の技術］
従来より、例えば複数の気筒を有するディーゼルエンジン等の内燃機関（エンジン）に燃料を供給する内燃機関の燃料供給装置として、高圧燃料ポンプから圧送供給された高圧燃料を蓄圧するコモンレールを備え、このコモンレール内に蓄圧された高圧燃料を、エンジンの各気筒に搭載されたインジェクタに分配供給するコモンレール式燃料噴射システムが公知である。
【０００３】
このようなコモンレール式燃料噴射システムに使用されるコモンレール１００は、図９ないし図１１に示したように、中空円筒形状のレール本体１０１を備えている。
レール本体１０１は、軸線方向に延びる燃料孔１０２、この燃料孔１０２の周囲を円周方向に取り囲むように設けられた円筒状の周壁１０３、外部配管を接続するための複数の配管ジョイント１０４、および周壁１０３をエンジン本体の支持部に固定するための複数の取付ボス１０５を有している。
これらの周壁１０３、複数の配管ジョイント（配管締結部）１０４および複数の取付ボス１０５は、鍛造加工により一体形成されている。
ここで、複数の取付ボス１０５の内部には、ボルト１０６の締結方向に延びるボルト挿通孔１０７が形成されている。
【０００４】
複数の配管ジョイント１０４は、周壁１０３の軸線方向に所定の軸方向間隔（配管ピッチ：Ｐ）を隔てて配置されて、周壁１０３の外周部に設けられた基端部１０８から図示上方側の先端部１０９へ向けて突出するように設けられている。
これらの配管ジョイント１０４の外周には、外部配管１１０の配管ナット１１１の雌螺子が螺合して外部配管１１０を締結固定する雄螺子１１２が形成されている。また、複数の配管ジョイント１０４の内部には、燃料孔１０２と外部配管１１０内の燃料流路１１３とを連通する内外連通孔１１４が形成されている。
また、複数の配管ジョイント１０４の各先端部１０９には、外部配管１１０の接続頭部１１５に形成された先細テーパ面が差し込まれる円錐台形状の受圧座面１１６が形成されている。この受圧座面１１６の底部において各内外連通孔１１４の開口部が開口している。
【０００５】
ところで、レール本体１０１の各内外連通孔１１４には、高圧燃料ポンプの圧送動作に伴う圧力変動を低減するためのオリフィス孔１１７、あるいはインジェクタの噴射動作に伴う圧力変動を低減するためのオリフィス孔１１７が形成されている。
このオリフィス孔１１７は、レール本体１０１の周壁１０３および各配管ジョイント１０４に直接穴開け加工（切削加工）することで形成されている。なお、穴開け加工上の制約からオリフィス孔１１７が内外連通孔１１４の最奥部（最も燃料孔側）に形成されている。
このため、図９ないし図１１に示したように、オリフィス孔１１７の開口部１１８は、燃料孔１０２の流路壁面（レール本体１０１の内周面）で開口している。
従来より、レール本体１０１は、円筒パイプ形状の周壁１０３、複数の配管ジョイント１０４および取付ボス１０５を鍛造加工によって一体形成された鍛造品に切削加工を施すことにより形成されている。
具体的には、複数の取付ボスの各ボルト挿通孔の中心軸線と複数の配管ジョイント１０４の中心軸線との角度（θ）、および複数の配管ジョイント１０４の中心軸線間の長手（軸）方向間隔（配管ピッチ：Ｐ）はエンジンの機種毎に異なり、鍛造品を一品一様に製作している。
【０００６】
［従来の技術の不具合］
ところが、従来のコモンレール１００においては、図９ないし図１１に示したように、レール本体１０１の周壁１０３の内径および外径が同一でも、複数の取付ボス１０５の各ボルト挿通孔１０７の中心軸線と複数の配管ジョイント１０４の中心軸線との角度（θ）、および複数の配管ジョイント１０４の中心軸線間の配管ピッチ（Ｐ）が異なる場合は、レール本体１０１の周壁１０３を共通使用することなく、独立して製作している。
したがって、レール本体１０１の周壁１０３の内径および外径が同一の場合でも、レール本体１０１の周壁１０３の形状の標準化が困難となるという問題が生じている。
【０００７】
そこで、配管締結部を有する配管ジョイントとしてのスリーブニップルを、レール本体とは別体部品とし、スリーブニップルをレール本体の周壁の外周に溶接またはろう付けにより接合固定することで、レール本体の周壁の形状、つまり鍛造品の形状を簡略化したコモンレール構造が公知である（例えば、特許文献１及び２参照）。
このコモンレール構造に使用されるスリーブニップルの外周面または内周面には、外部配管の接続端に設けられる配管ナットまたは配管ボルトが螺合して外部配管を締結固定する配管締結部が設けられている。
また、外部配管の内部には、レール本体の周壁に設けられる分岐孔と連通する燃料流路が形成されている。
【０００８】
ところが、特許文献１〜４に記載のコモンレールでは、レール本体とは別体のスリーブニップルをレール本体の周壁の外周に溶接またはろう付けにより接合固定しているので、所定の接合強度を確保するという目的で、レール本体の周壁とスリーブニップルとの溶接箇所を大きくとる必要があり、スリーブニップルの体格が大型化するという問題があった。
また、レール本体の周壁とスリーブニップルとの間で溶接不良が生じると、レール本体の周壁とスリーブニップルとの間の溶接箇所の、十分なシール性を確保することができないという問題があった。
【０００９】
ところで、燃料孔の内部には、高圧燃料が常時蓄圧されているため、レール本体の周壁の内周面には、非常に高い圧力が作用している。
ところが、図９ないし図１１に示したような内外連通孔１１４の最奥部にオリフィス孔１１７を設けたコモンレール１００では、燃料孔１０２とオリフィス孔１１７との孔交差部１１９（オリフィス孔１１７の開口部１１８の内周エッジ部）に応力が集中するので、レール破損の懸念がある。
一方、特許文献１〜４に記載のコモンレールでは、レール本体の周壁に燃料孔と交差する分岐孔が直接形成されており、周壁の内周面で分岐孔が開口している。このため、燃料孔と分岐孔との孔交差部に応力が集中するので、レール破損の懸念がある。
【００１０】
そこで、オリフィス孔または分岐孔と燃料孔との孔交差部の応力緩和のために、オリフィス孔または分岐孔の燃料孔側開口部に電解研磨加工や流体研磨加工等の面取り加工を施してレール破損を防止することが考えられる。
ところが、レール本体の周壁の内周面で開口する燃料孔側開口部に、例えば燃料孔へ向けて孔径が徐々に増加する面取り加工を施すことは、上述したように、穴開け加工上の制約から非常に難しく、しかも精度良く加工することが困難であるため、製造コストが上昇するという問題があった。
【先行技術文献】
【特許文献】
【００１１】
【特許文献１】特許第４０４６３３４号公報
【特許文献２】特許第４３５７３６２号公報
【発明の概要】
【発明が解決しようとする課題】
【００１２】
本発明の目的は、配管ジョイントをレール本体とは別体部品とすることで、レール本体の形状を簡略化することのできるコモンレールを提供することにある。また、溶接を必要とすることなく、締結作業のみで、レール本体と配管ジョイントとの接続を行うことのできるコモンレールを提供することにある。また、配管ジョイントをレール本体とは別体部品とすることで、内外連通孔と燃料孔との孔交差部の応力緩和に有効な円錐面取り加工を容易に行うことのできるコモンレールを提供することにある。
【課題を解決するための手段】
【００１３】
請求項１に記載の発明（コモンレール）によれば、配管ジョイントをレール本体とは別体部品とすることにより、レール本体の形状を簡略化することができる。
これによって、取付ボスの中心軸線と複数の配管ジョイントの中心軸線との角度（θ）、および複数の配管ジョイントの中心軸線間の配管ピッチ（Ｐ）を任意に製作することができるので、角度（θ）および配管ピッチ（Ｐ）が異なる場合でも、レール本体の形状の標準化が容易になる。
また、溶接を必要とすることなく、レール本体の周壁に設けた雌螺子孔に配管ジョイントの本体接続部を螺合させて締結固定するという締結作業のみで、レール本体と配管ジョイントとの接続を確実に行うことができるので、製造コストを削減することができる。また、溶接を必要としないので、レール本体の周壁と配管ジョイントとの間で溶接不良が生じることはなく、レール本体の周壁と配管ジョイントとの間のシール性を確保することができる。
また、配管ジョイントをレール本体とは別体部品とすることにより、内外連通孔と燃料孔との孔交差部の応力緩和に有効な面取り加工が容易となるので、内外連通孔と燃料孔との孔交差部に、燃料孔へ向けて孔径が徐々に増加する面取り部を容易に設けることができる。
【図面の簡単な説明】
【００１４】
【図１】エンジン本体の支持部にコモンレールを取り付けた状態を示した断面図である（実施例１）。
【図２】ボルト締結方向に対する、外部配管と配管ジョイントの配管方向の角度（θ）を示した断面図である（実施例１）。
【図３】外部配管と配管ジョイントの配管方向に垂直な軸線方向の配管ピッチ（Ｐ）を示した側面図である（実施例１）。
【図４】鍛造品を示した斜視図である（実施例１）。
【図５】（ａ）は配管ジョイントを示した断面図で、（ｂ）はオリフィス孔の面取り部を拡大した断面図である（実施例１）。
【図６】図２のコモンレールに対して、外部配管と配管ジョイントの配管方向の角度（θ）が４５°異なる例を示した断面図である（実施例２）。
【図７】図２のコモンレールに対して、外部配管と配管ジョイントの配管方向の角度（θ）が９０°異なる例を示した断面図である（実施例３）。
【図８】図３のコモンレールに対して軸線方向の配管ピッチ（Ｐ）が異なる例を示した側面図である（実施例４）。
【図９】エンジン本体の支持部にコモンレールを取り付けた状態を示した断面図である（従来の技術）。
【図１０】ボルト締結方向に対する配管方向の角度（θ）を示した断面図である（従来の技術）。
【図１１】配管ジョイントと外部配管の配管方向に垂直な軸線方向の配管ピッチ（Ｐ）を示した側面図である（従来の技術）。
【発明を実施するための形態】
【００１５】
以下、本発明の実施の形態を、図面に基づいて詳細に説明する。
【実施例】
【００１６】
［実施例１の構成］
図１ないし図５は、本発明を適用したコモンレール（実施例１）を示したものである。  
【００１７】
本実施例のコモンレール１は、例えばディーゼルエンジン等の内燃機関（エンジン）の各気筒に高圧燃料を分配供給する燃料供給装置（内燃機関の燃料供給装置）に使用される。
ここで、エンジンは、複数の気筒を有する多気筒ディーゼルエンジン（例えば直列４気筒エンジン）が採用されている。
燃料供給装置は、自動車等の車両のエンジンルームに搭載されるもので、例えばディーゼルエンジン用の燃料噴射システムとして知られるコモンレール式燃料噴射システム（蓄圧式燃料噴射装置）によって構成されている。
【００１８】
コモンレール式燃料噴射システムは、燃料タンクから燃料を汲み上げる低圧燃料ポンプ（以下フィードポンプ）と、このフィードポンプから供給される燃料を加圧して高圧化する高圧燃料ポンプ（以下サプライポンプ）と、このサプライポンプの燃料吐出口から高圧燃料が導入されるコモンレール１と、このコモンレール１の各燃料出口から高圧燃料が分配供給される複数のインジェクタ（ピエゾインジェクタまたはソレノイドインジェクタ）とを備え、コモンレール１の内部に蓄圧された高圧燃料を各インジェクタを介してエンジンの各気筒毎の燃焼室内に噴射供給するように構成されている。
【００１９】
本実施例のサプライポンプは、フィードポンプから電磁弁を経て加圧室内に吸入した燃料を加圧して高圧化し、この高圧燃料をコモンレール１へ圧送供給する燃料噴射ポンプである。
サプライポンプの電磁弁は、フィードポンプから加圧室内への燃料の吸入量を調整することで、サプライポンプの燃料吐出口より吐出される燃料吐出量を制御する燃料調量弁（ＳＣＶ）である。このＳＣＶは、ＥＣＵから印加されるポンプ駆動信号によって電子制御されるように構成されている。これにより、サプライポンプから吐出される燃料吐出量およびコモンレール圧力が制御される。
【００２０】
本実施例のコモンレール１は、超高圧の燃料を蓄圧する円筒パイプ形状のレール本体２と、このレール本体２の周壁３の軸線方向の一端側に接続される燃料圧力センサ（コモンレール圧センサ）４と、周壁３の軸線方向の他端側に接続されるプレッシャリミッタ５と、レール本体２の周壁３に鍛造加工等により一体で設けられる複数の取付ボス６と、これらの取付ボス６を介して、エンジン本体Ｅの支持部７にレール本体２を螺子締結により固定する複数のボルト８と、レール本体２の周壁３に外部配管９をそれぞれ接続する複数の配管ジョイント１１〜１５とによって構成されている。
【００２１】
コモンレール１は、その主要構成であるレール本体２と複数の配管ジョイント１１〜１５とが別体部品で構成されている。複数の配管ジョイント１１〜１５は、レール本体２の周壁３に設けられるジョイント取付孔（以下雌螺子孔）１６の雌螺子１７に螺子締結される。
コモンレール１のレール本体２には、内部に燃料孔１０が形成される円筒状の周壁３と複数の取付ボス６が鍛造加工等によって一体に設けられている。
複数の取付ボス６には、ボルト８の締結方向に真っ直ぐに延びるボルト挿通孔２０が設けられている。
【００２２】
また、エンジン本体Ｅ、つまりシリンダヘッド、シリンダブロックまたはヘッドカバーのいずれかには、レール本体２の周壁３に一体に設けられた取付ボス６を介して、レール本体２を取り付けるための支持部７が設けられている。
なお、エンジン本体Ｅの支持部７には、取付ボス６の取付け方向、つまりボルト締結方向に直交する方向に延びる平面状の取付け座面が設けられている。この支持部７には、取付け座面で開口する雌螺子孔が設けられている。
雌螺子孔の内周には、ボルト８のボルト軸部の外周に形成される雄螺子と螺合する螺旋状の雌螺子部が設けられている。
【００２３】
複数の外部配管９の先端には、その他の部分よりも大きい外径を有する接続頭部２１がそれぞれ設けられている。この接続頭部２１には、複数の配管ジョイント１１〜１５の各第２シール部（後述する）に液密的に密着する円錐面形状の先細テーパ面（円錐シール面、第２シート部）２２が形成されている。
複数の外部配管９の中で燃料孔１０よりも燃料流方向の上流側に位置する外部配管９の内部には、サプライポンプの燃料出口から燃料孔１０内へ導入される高圧燃料が流通する燃料流路２３が形成されている。一方、複数の外部配管９の中で燃料孔１０よりも燃料流方向の下流側に位置する外部配管９の内部には、気筒毎のインジェクタの各燃料入口内へ分配される高圧燃料が流通する燃料流路２３が形成されている。
【００２４】
また、外部配管９の接続端には、複数の配管ジョイント１１〜１５に螺子締結される配管ナット２４が設置されている。この配管ナット２４は、外部配管９が貫通する貫通孔２５、この貫通孔２５の周囲を円周方向に取り囲むと共に、接続頭部２１の鍔部２６を係止する環状の頭部係止部２７、およびこの頭部係止部２７から配管ジョイント側に延伸されたスリーブ２８を有している。
スリーブ２８には、外部配管９を配管ジョイント１１〜１５に結合（接続）する際（締結作業時）に使用される多角環状の工具係合部（六角部）が設けられている。また、スリーブ２８の内周には、複数の配管ジョイント１１〜１５の雄螺子（後述する）と螺合する雌螺子２９が形成されている。
【００２５】
複数の配管ジョイント１１〜１５には、燃料孔１０の長手方向（軸線方向）に対して直交する半径方向に延びる内外連通孔３１がそれぞれ形成されている。これらの配管ジョイント１１〜１５の中で燃料孔１０よりも燃料流方向の上流側に位置する配管ジョイント１５の内外連通孔３１の奥側には、サプライポンプの圧送動作に伴う圧力変動を低減するためのオリフィス孔３２が形成されている。
また、複数の配管ジョイント１１〜１５の中で燃料孔１０よりも燃料流方向の下流側に位置する複数の配管ジョイント１１〜１４の各内外連通孔３１の奥側には、インジェクタの噴射動作に伴う圧力変動を低減するためのオリフィス孔３２が形成されている。
【００２６】
ところで、圧力変動の低減効果を高めるためには、オリフィス孔３２を燃料孔１０の近傍に設けることが望ましい。そこで、本実施例のオリフィス孔３２の奥側が、燃料孔１０近傍に位置するように、レール本体２の周壁３の雌螺子孔１６に複数の配管ジョイント１１〜１５がねじ込まれている。
ここで、本実施例のコモンレール１では、燃料孔１０とオリフィス孔３２との孔交差部３３の応力集中を緩和するために、オリフィス孔３２の燃料孔側（奥側）開口部に円錐（テーパ）形状の面取り部３４を設けている。
【００２７】
また、各内外連通孔３１の外側開口部３５は、配管ジョイント１１〜１５の先端中心部において開口している。具体的に、配管ジョイント１１〜１５の先端面には、外部配管９の各接続頭部２１に形成された先細テーパ面２２が差し込まれる逆円錐台（テーパ）形状の受圧座面３６が形成されている。各内外連通孔３１の外側開口部は、配管ジョイント１１〜１５の各受圧座面３６の底部で開口している。
なお、配管ジョイント１５の内外連通孔３１の外側開口部３５は、サプライポンプの燃料吐出口から高圧燃料が導入される燃料入口（インレットポート）を構成している。
また、複数の配管ジョイント１１〜１４の各内外連通孔３１の外側開口部３５は、各インジェクタへ高圧燃料を分配供給する燃料出口（アウトレットポート）を構成している。  
【００２８】
ここで、当該エンジン機種における、エンジン本体Ｅの支持部７の取付座面に対して垂直なボルト締結方向（複数の取付ボス６の取付方向）と、レール本体２の周壁３の円周方向に対する外部配管９の配管方向（複数の配管ジョイント１１〜１５の接続方向）の角度、つまりボルト締結方向に対する配管方向の角度をθとする。
また、外部配管９と配管ジョイント１１〜１５の配管方向に垂直な軸線方向の配管ピッチをＰとする。
なお、コモンレール１の詳細は、後述する。
【００２９】
本実施例のインジェクタは、エンジンの各気筒毎に対応して搭載される燃料制御弁（燃料噴射弁）として使用される。
このインジェクタとしては、コモンレール１の内部（燃料孔１０）に蓄圧された高圧燃料を、直接燃焼室内に霧状に噴射供給する直接噴射タイプの内燃機関用燃料噴射弁（ディーゼルエンジン用のインジェクタ）が採用されている。
インジェクタは、燃料を噴射する噴孔およびこの噴孔に連通する燃料流路を有し、噴孔を開閉するノズルニードルを内蔵するノズルボディと、このノズルボディの燃料流路を介して噴孔に連通する燃料流路を有するインジェクタボディと、このインジェクタボディの長軸方向の先端部にノズルボディを螺子締結により固定するリテーニングナットとを備えている。
【００３０】
インジェクタボディの内部には、外部からインジェクタ（ピエゾ）駆動信号を受けるとノズルニードルを開弁方向に駆動するピエゾアクチュエータと、このピエゾアクチュエータにより駆動されてノズルニードルの背圧を制御する背圧制御機構とが収容されている。  ピエゾアクチュエータは、ピエゾ素子をその軸線方向に多数積層してなる積層体（ピエゾスタック）を備えている。ピエゾスタックは、エンジン制御ユニット（電子制御装置：ＥＣＵ）から印加されるインジェクタ駆動信号によって電子制御されるように構成されている。これにより、各インジェクタの噴孔から燃料噴射される燃料噴射量および噴射時期が制御される。
なお、ピエゾアクチュエータの代わりに、ステータおよびアーマチャにより構成されたソレノイドアクチュエータを採用しても良い。
【００３１】
次に、本実施例のコモンレール１の詳細を図１ないし図５に基づいて簡単に説明する。  コモンレール１は、その主要構成であるレール本体２に対して、複数の配管ジョイント１１〜１５が別体部品で構成されている。
レール本体２は、エンジンの各気筒に搭載された複数のインジェクタに対して高圧燃料を分配するコモンレール本体である。また、レール本体２は、例えば非調質鋼（調質を施さなくても鍛造時の冷却温度管理で硬度が出る鋼）等よりなる金属材料によって円筒形状に形成された鉄系の円筒金属体（鍛造成形品）である。このレール本体２は、高圧燃料の圧力に対して変形しない程度の硬度（剛性）を有している。
【００３２】
レール本体２は、その軸線方向に延伸された燃料孔１０と、この燃料孔１０の周囲を円周方向に取り囲む円筒状の周壁３と、この周壁３をエンジン本体Ｅの支持部７に締結固定するための複数の取付ボス６とが鍛造加工により一体形成される鍛造品である。このレール本体２は、鍛造品に対して所定の切削加工や研磨加工を施した非調質材よりなる。
レール本体２は、各インジェクタから燃焼室内に噴射される燃料の噴射圧力に相当する高圧燃料を蓄圧する蓄圧容器である。
【００３３】
レール本体２の周壁３の軸線方向の両端には、円筒状の嵌合部４１、４２がそれぞれ設けられている。これらの嵌合部４１、４２の内部には、機能部品を接続するための雌螺子孔がそれぞれ設けられている。これらの雌螺子孔は、周壁３の軸線方向の両端面で開口している。
嵌合部４１の雌螺子孔には、第１機能部品であるコモンレール圧センサ４を締結固定（螺子締結）するための螺旋状の雌螺子（図示せず）が形成されている。
嵌合部４２の第２雌螺子孔には、第２機能部品であるプレッシャリミッタ５を締結固定（螺子締結）するための螺旋状の雌螺子（図示せず）が形成されている。
【００３４】
ここで、コモンレール圧センサ４は、レール本体２の内部圧力（所謂コモンレール圧）を電気信号に変換して圧力検出値としてＥＣＵに対して出力する燃料圧力検出手段である。
プレッシャリミッタ５は、コモンレール圧が設定値（限界設定圧力）を超えた際に開弁してコモンレール圧を限界設定圧力以下に抑えるための圧力安全弁である。このプレッシャリミッタ５が開弁すると、プレッシャリミッタ５の燃料出口（リークポート）が開放されて、コモンレール１からリリーフパイプ、燃料戻し配管を経て燃料タンクへ燃料が戻される。
【００３５】
レール本体２の周壁３の中心部には、高圧燃料を蓄圧する燃料孔１０が長手方向（軸線方向）に貫通するように形成されている。なお、燃料孔１０の軸芯は、周壁３の外径の中心であっても構わないし、また、周壁３の外径の中心から所定量オフセットしたものであっても構わない。
レール本体２の周壁３の円周方向の一部（複数の配管ジョイント１１〜１５を取り付ける部位）には、平面状の平坦面４３が熱間鍛造の後に切削加工等を施すことで設けられている。この平坦面４３からは、円環状のシール突起４４が外側へ向けて突出している。このシール突起４４は、各雌螺子孔１６の外側開口部の周囲を円周方向に取り囲むように設置されている。
複数のシール突起４４は、複数の配管ジョイント１１〜１５の各シート部（後述する）が液密的に密着する第１シール部である。
【００３６】
燃料孔１０の半径方向の外側には、外部配管と接続する複数の配管ジョイント１１〜１５がねじ込まれる複数の雌螺子孔１６が形成されている。これらの雌螺子孔１６は、周壁３の軸線方向に所定の配管ピッチ（Ｐ）を隔てて配置されている。
複数の雌螺子孔１６は、各シール突起４４の中心部において開口し、この外側開口部側から燃料孔１０の孔壁面（周壁３の内周面）まで延伸されている。これらの雌螺子孔１６の燃料孔側開口部４５は、燃料孔１０の孔壁面（周壁３の内周面）において開口している。
【００３７】
また、複数の雌螺子孔１６の内周には、複数の配管ジョイント１１〜１５の本体接続部３１の雄螺子３２に螺合する螺旋状の雌螺子１７が形成されている。
また、複数の雌螺子孔１６および雌螺子１７は、レール本体２の鍛造加工後に、切削加工を行うことで設けられる。
【００３８】
複数の取付ボス６は、レール本体２の周壁３の外周部（側方）から外側に膨出するように設けられている。これらの取付ボス６は、エンジン本体Ｅの支持部７にボルト８により締結される締結部（取付け部）を構成している。また、複数の取付ボス６には、ボルト８のボルト軸部がその軸線方向（締結方向）に貫通するボルト挿通孔２０が形成されている。
【００３９】
複数の取付ボス６の上端面には、ボルト挿通孔２０の周囲に円環状のボルト座面が設けられている。ボルト座面には、ボルト８のボルト頭部が当接する。これにより、ボルト８のボルト頭部にボルト座面が係止される。
複数の取付ボス６の下端面には、ボルト挿通孔２０の周囲に円環状の取付け座面が設けられている。取付け座面は、エンジン本体Ｅの支持部７に当接する。
これらのボルト挿通孔２０およびボルト座面、取付け座面は、鍛造加工後に切削加工によって形成しても良いし、鍛造加工によって一体に形成しても良い。
【００４０】
複数の配管ジョイント１１〜１５は、例えば炭素鋼（クロム・モリブデン鋼：ＳＣＭ４３５等）よりなる金属材料によって円筒形状に形成された鉄系の円筒金属体（成形品）である。これらの配管ジョイント１１〜１５は、高圧燃料の圧力に対して変形しない程度の硬度（剛性）を有している。
複数の配管ジョイント１１〜１５は、レール本体２と別体部品であって、引き抜き加工または押し出し加工により一体形成される成形品である。これらの配管ジョイント１１〜１５は、成形品に所定の切削加工や研磨加工を施した後に調質熱処理（浸炭焼き入れまたは焼き入れ・焼き戻し等）を施した調質材（硬質材）よりなる。
【００４１】
複数の配管ジョイント１１〜１５は、一端側がレール本体２の周壁３の各雌螺子孔１６に接続し、他端側が外部配管９に接続する配管継手である。
配管ジョイント１５は、外部配管９の中で、サプライポンプの燃料出口に結合する高圧ポンプ配管を接続するための配管継手である。
複数の配管ジョイント１１〜１４は、外部配管９の中で、インジェクタの燃料入口に結合する高圧インジェクタ配管を接続するための配管継手である。
複数の配管ジョイント１１〜１５の内部には、レール本体２の周壁３の内部（燃料孔１０）と外部配管９内の燃料流路２３とを連通する複数の内外連通孔３１が形成されている。これらの内外連通孔３１は、レール本体２の周壁３の軸線方向に所定の軸方向間隔（配管ピッチ：Ｐ）を隔てて配置された配管ジョイント１１〜１５の中心部に形成された燃料流路孔（分岐孔）である。
【００４２】
複数の配管ジョイント１１〜１５の各内外連通孔３１は、燃料孔１０の近傍に、内外連通孔３１の孔径を絞るオリフィス孔３２を有している。これらのオリフィス孔３２は、内外連通孔３１の最も奥側に設けられている。
複数の配管ジョイント１１〜１５の各オリフィス孔３２は、燃料孔１０と各オリフィス孔３２とが交差する孔交差部（オリフィス孔３２の燃料孔側開口部の内周エッジ部）３３に、燃料孔１０へ向けて孔径が徐々に増加する円錐形状の面取り部３４を有している。この面取り部３４は、複数の配管ジョイント１１〜１５をレール本体２の周壁３に組み付ける前に、予め円錐形状の面取り加工（例えば研磨加工等）により形成される。
【００４３】
複数の配管ジョイント１１〜１５の各一端側（基端側）には、レール本体２の雌螺子孔１６に螺子締結される円筒状の本体接続部５１が形成されている。この本体接続部５１の外周には、雌螺子孔１６の雌螺子１７に螺合する螺旋状の雄螺子５２が形成されている。  また、複数の配管ジョイント１１〜１５の各他端側（先端側）には、外部配管９の配管ナット２４を螺子締結することで、外部配管９を接続する円筒状の配管締結部５３が形成されている。この配管締結部５３の外周には、外部配管９の各配管ナット２４の雌螺子２９に螺合する螺旋状の雄螺子５４が形成されている。
配管締結部５３の先端面の先端面には、外部配管９の各接続頭部２１の先細テーパ面２２が液密的に密着する受圧座面３６が形成されている。なお、複数の配管ジョイント１１〜１５の各受圧座面３６の底部では、各内外連通孔３１の外側開口部３５が開口している。また、面取り部３４内には、オリフィス孔３２から燃料孔１０へ向けて孔径が徐々に拡径する開口部３７が形成されている。
【００４４】
また、本体接続部５１と配管締結部５３との間には、複数の配管ジョイント１１〜１５をそれぞれ周壁３に結合（接続）する際（締結作業時）に使用される多角環状の工具係合部（六角部）５５が切削加工等により設けられている。
複数の配管ジョイント１１〜１５の各工具係合部５５は、複数の配管ジョイント１１〜１５の各本体接続部５１と配管締結部５３よりも大きい外径を有している。これらの工具係合部５５の図示下端面（レール本体側面）には、周壁３の外周面（平坦面４３）に対向し、シール突起４４に液密的に密着する円環状のシート面５６が設けられている。このシート面５６は、複数の配管ジョイント１１〜１５の軸線方向に対して垂直な半径方向に延伸された第１シート部である。
【００４５】
［実施例１の製造方法］
次に、本実施例のコモンレール１の製造方法を図１ないし図５に基づいて簡単に説明する。
【００４６】
先ず、炭素鋼等の金属を鋳造することで、レール本体用のインゴット（金属塊）を作り、このインゴットを鍛造型に入れて熱間鍛造する。この熱間鍛造によって、図４に示したように、周壁３、複数の取付ボス６および燃料孔１０を有する円筒状の鍛造品Ａが製造される。
そして、熱間鍛造後の鍛造品Ａに切削加工や研磨加工等を施すことにより、周壁３に複数の雌螺子孔１６および雌螺子１７が形成されたレール本体２（図１〜図３参照）が製造される。
【００４７】
次に、炭素鋼等の金属を鋳造することで、レール本体用のインゴット（金属塊）を作り、このインゴットを成形型に入れて引き抜き加工または押し出し加工等を施すことにより、内部に内外連通孔３１が形成された円筒状の第１成形品Ｂが製造される。
そして、引き抜き加工または押し出し加工後の第１成形品Ｂに切削加工や研磨加工等を施すことにより、図５（ａ）に示したように、内外連通孔３１の奥側にオリフィス孔３２が設けられる。このとき、先端中心部に受圧座面３６、本体接続部５１の外周に雄螺子５２、配管締結部５３の外周に雄螺子５４、および本体接続部５１と配管締結部５３との間に工具係合部５５が設けられる。
【００４８】
次に、切削加工や研磨加工後の第１成形品Ｂに面取り加工（研磨加工等）を施すことにより、図５（ｂ）に示したように、オリフィス孔３２の燃料孔側開口部の内周エッジ部、つまり孔交差部３３に円錐形状の面取り部３４を設ける。これにより、円筒状の第２成形品Ｃが製造される。
そして、面取り加工後の第２成形品Ｃに対して、各配管ジョイント１１〜１５の硬度および強度を向上させるための調質熱処理（浸炭焼き入れまたは焼き入れ・焼き戻し等）を施すことにより、各配管ジョイント１１〜１５が製造される。
なお、配管ジョイント１１〜１５は、全て同一の仕様とされている。
【００４９】
［実施例１の組付方法］
次に、本実施例のコモンレール１の組付方法、つまりレール本体２の周壁３に対する、複数の配管ジョイント１１〜１５および外部配管９の結合方法を図１ないし図５に基づいて簡単に説明する。
【００５０】
ここで、レール本体２の周壁３に対する配管ジョイント１１および外部配管９の組み付け手順と、レール本体２の周壁３に対する、その他の配管ジョイント１２〜１５および外部配管９の組み付け手順とは、同じであるため、配管ジョイント１１および外部配管９の組み付け手順のみを説明し、その他の配管ジョイント１２〜１５および外部配管９の組み付け手順は省略する。
【００５１】
配管ジョイント１１の図示下端部（本体接続部５１）を、図１および図２において図示上方側から、レール本体２の周壁３の雌螺子孔１６の外側開口部に嵌合した後に、組付工具を配管ジョイント１１の工具係合部５５に係合させて所定の方向に配管ジョイント１１を回転させることにより、周壁３の雌螺子孔１６の内周に形成された螺旋状の雌螺子１７に、配管ジョイント１１の本体接続部５１の外周に形成された雄螺子５４が螺合することで、レール本体２の周壁３の雌螺子孔１６内に配管ジョイント１１が螺子締結により固定される。
【００５２】
これによって、レール本体２の周壁３に対して別体で構成された配管ジョイント１１が、周壁３のシール突起４４よりも半径方向の内側に設けられた雌螺子孔１６に一体的に結合される。
このとき、配管ジョイント１１の所定の締結軸力によって、周壁３の雌螺子孔１６の開口周縁に設けられる円環状のシール突起４４と、配管ジョイント１１の工具係合部５５の図示下端面に研磨加工等により設けられた平面形状のシート面５６とがメタルシールのように液密的に密着することで、レール本体２の周壁３と配管ジョイント１１との間のシール性が確保される。
【００５３】
次に、外部配管９の接続端に設けられた接続頭部２１を保持した配管ナット２４を、図１において図示上方側から、配管ジョイント１１の図示上端部（配管締結部５３）の先端外周に嵌合した後に、組付工具を配管ナット２４のスリーブ（工具係合部）２８に係合させて所定の方向に配管ナット２４を回転させることにより、配管ジョイント１１の配管締結部５３の外周に形成された雄螺子５２に、配管ナット２４のスリーブ２８の内周に形成された雌螺子２９が螺合することで、配管ジョイント１１の配管締結部５３の外周に配管ナット２４が螺子締結により固定される。
【００５４】
これによって、配管ジョイント１１に対して別体で構成された外部配管９の接続頭部２１および配管ナット２４が、配管ジョイント１１の配管締結部５３に一体的に結合される。
このとき、配管ナット２４の所定の締結軸力によって、外部配管９の接続頭部２１の先細テーパ面２２と、配管ジョイント１１の開口周縁に設けられる受圧座面３６とがメタルシールのように液密的に密着することで、配管ジョイント１１と外部配管９の接続頭部２１との間のシール性が確保される。
【００５５】
［実施例１の作用］
次に、本実施例のコモンレール１が組み込まれたコモンレール式燃料噴射システムの作用を図１ないし図５に基づいて簡単に説明する。
【００５６】
サプライポンプから吐出された高圧燃料は、外部配管９を経て、外部配管９内に形成された燃料流路２３より配管ジョイント１５の内外連通孔３１内に流入する。
内外連通孔３１内に流入した燃料は、内外連通孔３１の下流側（奥側）に形成されるオリフィス孔３２、面取り部３４内の開口部３７を経てレール本体２の燃料孔１０内に直接流入し、燃料孔１０内で一時的に蓄圧される。
ここで、例えばエンジンの第１気筒（＃１気筒）のインジェクタから＃１気筒の燃焼室内への燃料噴射が開始されると、燃料孔１０内に蓄圧されていた高圧燃料は、例えば＃１気筒に対応した配管ジョイント１１内の開口部３７、オリフィス孔３２を経て＃１気筒に対応した配管ジョイント１１内の内外連通孔３１に流入する。
【００５７】
そして、＃１気筒に対応した配管ジョイント１１内の内外連通孔３１に流入した高圧燃料は、配管ジョイント１１内の内外連通孔３１の開口側に形成される外側開口部３５から外部配管９内に形成された燃料流路２３を経て、＃１気筒に対応したインジェクタ内に導入される。
そして、レール本体２の燃料孔１０内に蓄圧されていた高圧燃料は、その他の気筒（＃２〜＃４気筒）の燃焼室内への燃料噴射が開始されると、同様に、＃２〜＃４気筒に対応した各インジェクタ内に導入される。
【００５８】
［実施例１の効果］
以上のように、本実施例のコモンレール１においては、複数の配管ジョイント１１〜１５を、レール本体２の周壁３に対して別体部品、特に内外連通孔３１の奥側にオリフィス孔３２および面取り部３４を含んで構成される別体部品とすることにより、図４に示したように、熱間鍛造により一体形成される鍛造品の形状、つまりレール本体２の形状を簡略化することができる。
これによって、取付ボス６の中心軸線と複数の配管ジョイント１１〜１５の中心軸線との角度（θ）、および複数の配管ジョイント１１〜１５の中心軸線間の配管ピッチ（Ｐ）を任意に製作することができる。これにより、レール本体２の周壁３の内径および外径が同一の場合には、複数の外部配管９と複数の配管ジョイント１１〜１５の配管方向の角度（θ）および配管ピッチ（Ｐ）が異なる場合でも、レール本体２の周壁３の形状の標準化が容易になる。したがって、エンジン機種が異なっても、１種類の鍛造品（図４参照）を使用して、エンジン機種に合わせて雌螺子孔１６の形成方向（配管方向）や配管ピッチ（Ｐ）を設定することができるので、鍛造品を１品１品製作する必要はなく、コモンレール１の製造コストを削減することができる。
【００５９】
また、複数の配管ジョイント１１〜１５をレール本体２の周壁３とは別体部品とすることにより、複数の配管ジョイントがレール本体２の周壁３と一体部品である従来の技術（図９〜図１１参照）と比べて、オリフィス孔３２と燃料孔１０との孔交差部３３の応力緩和に有効な円錐面取り加工が容易となるので、オリフィス孔３２と燃料孔１０との孔交差部３３に、オリフィス孔３２から燃料孔１０へ向けて孔径が徐々に増加（拡径）する円錐形状の面取り部３４を容易に形成することができる。したがって、コモンレール１の製造コストを更に削減することができる。
【００６０】
また、エンジン本体Ｅの支持部７にボルト８を用いて締結固定される取付ボス６を有するレール本体２の材質を、熱間鍛造非調質鋼材とし、また、レール本体２に螺子締結される複数の配管ジョイント１１〜１５の材質を、ＳＣＭ４３５＋調質熱処理（浸炭処理または焼き入れ・焼き戻し等）を行った調質鋼材とすることにより、配管ジョイント１１〜１５としてより高強度の材料を使用することができるので、配管ジョイント１１〜１５におけるオリフィス孔３２と燃料孔１０との孔交差部３３の許容応力を向上できる。
また、オリフィス孔３２を燃料孔１０の近傍に設けることにより、圧力変化の低減効果を高めることができる。
【００６１】
また、溶接を必要とすることなく、レール本体２の周壁３に設けた各雌螺子孔１６の雌螺子１７に、複数の配管ジョイント１１〜１５の各本体接続部５１の雄螺子５４を螺合させて締結固定するという締結作業のみで、レール本体２の周壁３と複数の配管ジョイント１１〜１５との接続（結合）を確実に行うことができるので、製造コストを削減することができる。
また、溶接を必要としないので、レール本体２の周壁３と複数の配管ジョイント１１〜１５の各本体接続部５１との間で溶接不良が生じることはなく、レール本体２の周壁３のシール突起４４と複数の配管ジョイント１１〜１５の各工具係合部５５のシート面５６との間のシール性を確保することができる。これにより、コモンレール１からの燃料漏れを防止することができる。
【００６２】
［実施例２の構成］
図６は、本発明を適用したコモンレール（実施例２）を示したものである。
ここで、実施例１と同じ符号は、同一の構成または機能を示すものであって、説明を省略する。
【００６３】
本実施例では、熱間鍛造により一体形成される鍛造品として、実施例１の鍛造品（図４参照）を用い、実施例１（図２参照）のレール本体２の周壁３に対して、複数の外部配管９と複数の配管ジョイント１１〜１５の配管方向の角度（θ）が４５°異なる仕様（エンジン機種）に適合させるために、実施例１のレール本体２の周壁３の各雌螺子孔１６の形成方向に対して、４５°異なる方向に各雌螺子孔１６を切削加工により孔開けした例である。
そして、このように孔開けした、レール本体２の周壁３の各雌螺子孔１６に対して、複数の外部配管９と複数の配管ジョイント１１〜１５を結合している。
以上のように、本実施例のコモンレール１においては、実施例１と同様な効果を奏する。
【００６４】
［実施例３の構成］
図７は、本発明を適用したコモンレール（実施例３）を示したものである。
ここで、実施例１及び２と同じ符号は、同一の構成または機能を示すものであって、説明を省略する。
【００６５】
本実施例では、熱間鍛造により一体形成される鍛造品として、実施例１の鍛造品（図４参照）を用い、実施例１（図２参照）のレール本体２の周壁３に対して、複数の外部配管９と複数の配管ジョイント１１〜１５の配管方向の角度（θ）が９０°異なる仕様（エンジン機種）に適合させるために、実施例１のレール本体２の周壁３の各雌螺子孔１６の形成方向に対して、９０°異なる方向に各雌螺子孔１６を切削加工により孔開けした例である。
そして、このように孔開けした、レール本体２の周壁３の各雌螺子孔１６に対して、複数の外部配管９と複数の配管ジョイント１１〜１５を結合している。
以上のように、本実施例のコモンレール１においては、実施例１及び２と同様な効果を奏する。
【００６６】
［実施例４の構成］
図８は、本発明を適用したコモンレール（実施例４）を示したものである。
ここで、実施例１〜３と同じ符号は、同一の構成または機能を示すものであって、説明を省略する。
【００６７】
本実施例では、熱間鍛造により一体形成される鍛造品として、実施例１の鍛造品（図４参照）を用い、複数の外部配管９および複数の配管ジョイント１１〜１４の配管方向と、外部配管９および配管ジョイント１５の配管方向とを反対方向とし、実施例１（図３参照）のレール本体２の周壁３に対して、複数の配管ジョイント１１〜１４の軸線方向の配管ピッチ（Ｐ）が異なる仕様に適合させるために、実施例１のレール本体２の周壁３の各雌螺子孔１６の形成間隔（配管ピッチ）に対して、異なる間隔となるように各雌螺子孔１６を切削加工により孔開けした例である。
そして、このように孔開けした、レール本体２の周壁３の各雌螺子孔１６に対して、複数の外部配管９と複数の配管ジョイント１１〜１５を結合している。
以上のように、本実施例のコモンレールにおいては、実施例１〜３と同様な効果を奏する。
【００６８】
［変形例］
本実施例では、本発明のコモンレールを、ディーゼルエンジン用の燃料供給装置に使用されるコモンレール（燃料分配管）に適用しているが、本発明のコモンレールを、ガソリンエンジン用の燃料供給装置に使用されるコモンレール（デリバリパイプ）に適用しても良い。
なお、デリバリパイプは、パイプ本体（レール本体、管本体）と配管ジョイントとが別体部品で構成される。
【００６９】
本実施例では、レール本体２の周壁３にプレッシャリミッタ５を取り付けているが、プレッシャリミッタ５の代わりに減圧弁を取り付けても良い。この減圧弁は、開弁時にコモンレール圧を高圧から低圧に減圧（降圧）させる電磁弁である。また、減圧弁は、ＥＣＵから印加される減圧弁駆動信号によって電子制御される。
また、レール本体２の周壁３にコモンレール圧センサ４の代わりに燃料温度センサをレール本体２の周壁３に取り付けても良い。
【００７０】
本実施例では、複数の配管ジョイント１１〜１５の各内外連通孔３１の奥側（燃料孔１０の近傍）に、インジェクタの噴射動作に伴う圧力脈動を低減するオリフィス孔３２を設け、更に、サプライポンプの圧送動作に伴う圧力脈動を低減するオリフィス孔３２を設けているが、いずれか一方のみ設けても良い。あるいはオリフィス孔３２を設けなくても良い。
また、内燃機関の支持部として、内燃機関の取付座面に螺子締結されるブラケットを用いても良い。
また、取付ボスがレール本体と別体部品で構成されていても良い。
【符号の説明】
【００７１】
１  コモンレール
２  レール本体
３  周壁
６  取付ボス
１０  燃料孔
１１〜１５  配管ジョイント
３１  内外連通孔
３２  オリフィス孔
３３  孔交差部
３４  面取り部
【図１】
2014109245.tif 000003
【図２】
2014109245.tif 000004
【図３】
2014109245.tif 000005
【図４】
2014109245.tif 000006
【図５】
2014109245.tif 000007
【図６】
2014109245.tif 000008
【図７】
2014109245.tif 000009
【図８】
2014109245.tif 000010
【図９】
2014109245.tif 000011
【図１０】
2014109245.tif 000012
【図１１】
2014109245.tif 000013